(57)【要約】【課題】スキャントゥメモリやダイレクトプリントを行う際の手間を省くことが可能な画像形成装置を提供する。【解決手段】複合機１にＵＳＢメモリ２８を接続したときには、以前、接続されたＵＳＢメモリ２８に対して実行されたモード（スキャントゥメモリモードまたはダイレクトプリントモード）が実行される。従って、ユーザが動作モードを指定する手間を省くことができる。【選択図】図４
2008187495.tif 000002
【特許請求の範囲】
【請求項１】
外部メモリが着脱可能に接続される接続手段と、
原稿を読み取り画像データを取得する読取手段と、
被記録媒体上に画像を形成する画像形成手段と、
前記読取手段により画像データを取得してその画像データを前記外部メモリに保存するスキャントゥメモリモードと、前記外部メモリに保存されたデータに基づいて前記画像形成手段により画像形成を行うダイレクトプリントモードとのいずれかのモードを実行する制御手段と、
前記外部メモリに対して前記制御手段が実行したモードを記憶する記憶手段と、を備え、
前記制御手段は、前記接続手段に前記外部メモリが接続されたときに、前記記憶手段に記憶されたモードを実行する画像形成装置。
【請求項２】
請求項１に記載の画像形成装置において、
前記制御手段が前記スキャントゥメモリモードを実行する際の読取条件を設定するための読取設定手段を備え、
前記記憶手段は、前記制御手段が前記スキャントゥメモリモードを実行する際の読取条件を記憶し、
前記制御手段は、前記接続手段に前記外部メモリが接続されたときに、前記記憶手段に記憶されたモードがスキャントゥメモリモードであった場合に、前記記憶手段に記憶された読取条件に従ってスキャントゥメモリモードを実行する。
【請求項３】
請求項１に記載の画像形成装置において、
前記制御手段は、前記接続手段に前記外部メモリが接続されたときに、前記記憶手段に記憶されたモードとしてスキャントゥメモリモードを実行する場合に、画像データを前記外部メモリに保存されているファイルに合わせたファイル形式で保存する。
【請求項４】
請求項２に記載の画像形成装置において、
前記読取条件は、前記制御手段が画像データを保存する際のファイル形式を含んでおり、
前記接続手段に前記外部メモリが接続されたときに、前記制御手段が、前記記憶手段に記憶されたモードとしてスキャントゥメモリモードを実行する場合に、前記記憶手段に記憶された読取条件に従って実行するか、あるいは画像データを前記外部メモリに保存されているファイルに合わせたファイル形式で保存するかを選択するための選択手段を備える。
【請求項５】
請求項４に記載の画像形成装置において、
前記記憶手段は、前記スキャントゥメモリモードが実行された際に、前記外部メモリの容量が不足する状態となった場合に、メモリフル情報を記憶し、
前記制御手段は、前記接続手段に前記外部メモリが接続されたときに、前回接続手段に接続された外部メモリに対して、スキャントゥメモリモードが記憶されかつメモリフル情報が記憶されていない場合に、前記選択手段による選択に従ってスキャントゥメモリモードを実行し、スキャントゥメモリモードが記憶されかつメモリフル情報が記憶されていた場合に、前記記憶手段に記憶された読取条件に従ってスキャントゥメモリモードを実行する。
【請求項６】
請求項１から請求項５のいずれか一項に記載の画像形成装置において、
前記制御手段によりスキャントゥメモリモードを続行するか中止するかを指示可能な指示手段を備え、
前記制御手段は、前記接続手段に前記外部メモリが接続されたときに、前記記憶手段に記憶されたモードとしてスキャントゥメモリモードを実行する場合に、前記指示手段による指示を待機する待機状態となり、前記指示手段から続行の指示があった場合には、スキャントゥメモリモードを続行し、前記指示手段から中止の指示があった場合には、スキャントゥメモリモードを中止する。
【請求項７】
請求項１から請求項６のいずれか一項に記載の画像形成装置において、
前記制御手段が前記ダイレクトプリントモードを実行する際の印刷形式を設定するための印刷設定手段を備え、
前記記憶手段は、前記制御手段が前記ダイレクトプリントモードを実行する際の印刷形式を記憶し、
前記制御手段は、前記接続手段に前記外部メモリが接続されたときに、前記記憶手段に記憶されたモードがダイレクトプリントモードであった場合に、前記記憶手段に記憶された印刷形式に基づいてダイレクトプリントモードを実行する。
【請求項８】
請求項１から請求項７のいずれか一項に記載の画像形成装置において、
前記制御手段は、前記接続手段に前記外部メモリが接続されたときに、前記記憶手段に前記制御手段が実行したモードが記憶されていない場合は、前記２つのモードの実行を開始しない。
【請求項９】
請求項１から請求項８のいずれか一項に記載の画像形成装置において、
前記制御手段によりダイレクトプリントモードを続行するか中止するかを指示可能な指示手段を備え、
前記制御手段は、前記接続手段に前記外部メモリが接続されたときに、前記記憶手段に記憶されたモードとしてダイレクトプリントモードを実行する場合に、前記指示手段による指示を待機する待機状態となり、前記指示手段から続行の指示があった場合には、ダイレクトプリントモードを続行し、前記指示手段から中止の指示があった場合には、ダイレクトプリントモードを中止する。
【請求項１０】
請求項１から請求項９のいずれか一項に記載の画像形成装置において、
前記制御手段により前記記憶手段に記憶されたモードを実行するか否かを設定するための設定手段を備え、
前記制御手段は、前記接続手段に前記外部メモリが接続されたときに、前記設定手段の設定に従って動作する。
【請求項１１】
請求項１から請求項１０のいずれか一項に記載の画像形成装置において、
前記読取手段は、セットされた原稿を検知する検知手段を有しており、
前記接続手段に前記外部メモリが接続されたときに、前記制御手段が前記記憶手段に記憶されたモードを実行する通常モードと、前記制御手段が前記検知手段により原稿が検知された場合にスキャントゥメモリモードを実行し、原稿が検知されない場合にダイレクトプリントモードを実行する検知モードと、を切り替える切替手段を備える。
【請求項１２】
請求項６または請求項９に記載の画像形成装置において、
前記読取手段には、原稿を検知する検知手段が設けられ、
前記制御手段は、前記待機状態において、前記指示手段により中止の指示があった場合に、前記検知手段により原稿が検知された場合にはスキャントゥメモリモードを実行し、原稿が検知されない場合にはダイレクトプリントモードを実行する。
【発明の詳細な説明】
【技術分野】
【０００１】
本発明は、画像形成装置に関する。
【背景技術】
【０００２】
画像形成装置として、原稿を読み取ることで取得した画像データを、装置に接続されたＵＳＢメモリ等の外部メモリに記憶させる、スキャントゥメモリなどと呼ばれる機能を備えたものが知られている。また、外部メモリに記憶されたデータを読み出してそのデータに基づく画像を用紙上に印刷する、ダイレクトプリントと呼ばれる機能を備えた画像形成装置も知られている（特許文献１参照）。
【特許文献１】特開２００５−１７４２６１公報
【発明の開示】
【発明が解決しようとする課題】
【０００３】
上述のスキャントゥメモリ機能及びダイレクトプリント機能を備えた画像形成装置において、例えば、スキャントゥメモリを実行している途中で外部メモリの容量が一杯になった場合には、読み取り動作が中断され、外部メモリの交換が必要となる。このとき、ユーザは、別の外部メモリを装置に接続した後に、再びスキャントゥメモリの実行を指示し、続いて読取条件（解像度や保存時のファイル形式など）の設定作業をはじめからやり直さねばならず、手間が掛かっていた。また、ダイレクトプリントを実行する際に、一つの外部メモリ内のデータの印刷を終え、続けて別の外部メモリ内のデータの印刷を行うような場合にも、ユーザは、別の外部メモリを接続した後、再びダイレクトプリントの実行を指示し、続いて印刷時の出力形式（用紙サイズなど）等の設定作業をはじめからやり直さねばならず、手間が掛かっていた。
【０００４】
本発明は上記のような事情に基づいて完成されたものであって、スキャントゥメモリやダイレクトプリントを行う際の手間を省くことが可能な画像形成装置を提供することを目的とする。
【課題を解決するための手段】
【０００５】
上記の目的を達成するための手段として、請求項１の発明に係る画像形成装置は、外部メモリが着脱可能に接続される接続手段と、原稿を読み取り画像データを取得する読取手段と、被記録媒体上に画像を形成する画像形成手段と、前記読取手段により画像データを取得してその画像データを前記外部メモリに保存するスキャントゥメモリモードと、前記外部メモリに保存されたデータに基づいて前記画像形成手段により画像形成を行うダイレクトプリントモードとのいずれかのモードを実行する制御手段と、前記外部メモリに対して前記制御手段が実行したモードを記憶する記憶手段と、を備え、前記制御手段は、前記接続手段に前記外部メモリが接続されたときに、前記記憶手段に記憶されたモードを実行する。
【０００６】
請求項２の発明は、請求項１に記載の画像形成装置において、前記制御手段が前記スキャントゥメモリモードを実行する際の読取条件を設定するための読取設定手段を備え、前記記憶手段は、前記制御手段が前記スキャントゥメモリモードを実行する際の読取条件を記憶し、前記制御手段は、前記接続手段に前記外部メモリが接続されたときに、前記記憶手段に記憶されたモードがスキャントゥメモリモードであった場合に、前記記憶手段に記憶された読取条件に従ってスキャントゥメモリモードを実行する。
【０００７】
請求項３の発明は、請求項１に記載の画像形成装置において、前記制御手段は、前記接続手段に前記外部メモリが接続されたときに、前記記憶手段に記憶されたモードとしてスキャントゥメモリモードを実行する場合に、画像データを前記外部メモリに保存されているファイルに合わせたファイル形式で保存する。
【０００８】
請求項４の発明は、請求項２に記載の画像形成装置において、前記読取条件は、前記制御手段が画像データを保存する際のファイル形式を含んでおり、前記接続手段に前記外部メモリが接続されたときに、前記制御手段が、前記記憶手段に記憶されたモードとしてスキャントゥメモリモードを実行する場合に、前記記憶手段に記憶された読取条件に従って実行するか、あるいは画像データを前記外部メモリに保存されているファイルに合わせたファイル形式で保存するかを選択するための選択手段を備える。
【０００９】
請求項５の発明は、請求項４に記載の画像形成装置において、前記記憶手段は、前記スキャントゥメモリモードが実行された際に、前記外部メモリの容量が不足する状態となった場合に、メモリフル情報を記憶し、前記制御手段は、前記接続手段に前記外部メモリが接続されたときに、前回接続手段に接続された外部メモリに対して、スキャントゥメモリモードが記憶されかつメモリフル情報が記憶されていない場合に、前記選択手段による選択に従ってスキャントゥメモリモードを実行し、スキャントゥメモリモードが記憶されかつメモリフル情報が記憶されていた場合に、前記記憶手段に記憶された読取条件に従ってスキャントゥメモリモードを実行する。
【００１０】
請求項６の発明は、請求項１から請求項５のいずれか一項に記載の画像形成装置において、前記制御手段によりスキャントゥメモリモードを続行するか中止するかを指示可能な指示手段を備え、前記制御手段は、前記接続手段に前記外部メモリが接続されたときに、前記記憶手段に記憶されたモードとしてスキャントゥメモリモードを実行する場合に、前記指示手段による指示を待機する待機状態となり、前記指示手段から続行の指示があった場合には、スキャントゥメモリモードを続行し、前記指示手段から中止の指示があった場合には、スキャントゥメモリモードを中止する。
【００１１】
請求項７の発明は、請求項１から請求項６のいずれか一項に記載の画像形成装置において、前記制御手段が前記ダイレクトプリントモードを実行する際の印刷形式を設定するための印刷設定手段を備え、前記記憶手段は、前記制御手段が前記ダイレクトプリントモードを実行する際の印刷形式を記憶し、前記制御手段は、前記接続手段に前記外部メモリが接続されたときに、前記記憶手段に記憶されたモードがダイレクトプリントモードであった場合に、前記記憶手段に記憶された印刷形式に基づいてダイレクトプリントモードを実行する。
【００１２】
請求項８の発明は、請求項１から請求項７のいずれか一項に記載の画像形成装置において、前記制御手段は、前記接続手段に前記外部メモリが接続されたときに、前記記憶手段に前記制御手段が実行したモードが記憶されていない場合は、前記２つのモードの実行を開始しない。
【００１３】
請求項９の発明は、請求項１から請求項８のいずれか一項に記載の画像形成装置において、前記制御手段によりダイレクトプリントモードを続行するか中止するかを指示可能な指示手段を備え、前記制御手段は、前記接続手段に前記外部メモリが接続されたときに、前記記憶手段に記憶されたモードとしてダイレクトプリントモードを実行する場合に、前記指示手段による指示を待機する待機状態となり、前記指示手段から続行の指示があった場合には、ダイレクトプリントモードを続行し、前記指示手段から中止の指示があった場合には、ダイレクトプリントモードを中止する。
【００１４】
請求項１０の発明は、請求項１から請求項９のいずれか一項に記載の画像形成装置において、前記制御手段により前記記憶手段に記憶されたモードを実行するか否かを設定するための設定手段を備え、前記制御手段は、前記接続手段に前記外部メモリが接続されたときに、前記設定手段の設定に従って動作する。
【００１５】
請求項１１の発明は、請求項１から請求項１０のいずれか一項に記載の画像形成装置において、前記読取手段は、セットされた原稿を検知する検知手段を有しており、前記接続手段に前記外部メモリが接続されたときに、前記制御手段が前記記憶手段に記憶されたモードを実行する通常モードと、前記制御手段が前記検知手段により原稿が検知された場合にスキャントゥメモリモードを実行し、原稿が検知されない場合にダイレクトプリントモードを実行する検知モードと、を切り替える切替手段を備える。
【００１６】
請求項１２の発明は、請求項６または請求項９に記載の画像形成装置において、前記読取手段には、原稿を検知する検知手段が設けられ、前記制御手段は、前記待機状態において、前記指示手段により中止の指示があった場合に、前記検知手段により原稿が検知された場合にはスキャントゥメモリモードを実行し、原稿が検知されない場合にはダイレクトプリントモードを実行する。
【発明の効果】
【００１７】
＜請求項１の発明＞
外部メモリを接続したときに、以前、実行されたモード（スキャントゥメモリモードまたはダイレクトプリントモード）が実行される。従って、ユーザが動作モードを指定する手間を省くことができる。
【００１８】
＜請求項２の発明＞
外部メモリを接続したときに、以前、実行されたモードがスキャントゥメモリモードであった場合に、記憶手段に記憶された読取条件に従ってスキャントゥメモリモードが実行される。従って、ユーザが読取条件を設定する手間を省くことができる。
【００１９】
＜請求項３の発明＞
外部メモリを接続したときには、画像データが外部メモリに保存されているファイルに合わせたファイル形式で保存される。このため、画像データを保存する際のファイル形式を設定する手間を省くことができる。
【００２０】
＜請求項４の発明＞
画像データを外部メモリに保存する際に、記憶手段に記憶されたファイル形式で保存するか、あるいは外部メモリに既に保存されているファイルのファイル形式で保存するかを選択できるため、使い勝手がよい。
【００２１】
＜請求項５の発明＞
外部メモリが接続されたときに、前回接続された外部メモリに対してメモリフル情報が記憶されていた場合には、選択手段の選択にかかわらず、前回の読取条件でスキャントゥメモリモードを実行する。スキャントゥメモリモードの途中で外部メモリが一杯になった場合には、続いて接続された外部メモリに対しても、同じ読取条件でスキャントゥメモリモードが実行される可能性が高いため、適切な処理を行うことができる。
【００２２】
＜請求項６の発明＞
外部メモリを接続したときに、以前実行されたモードとしてスキャントゥメモリモードが実行される場合に、続行または中止の指示を待機する待機状態となる。従って、ユーザがスキャントゥメモリモードを実行させたくない場合には、実行を中止することができ、ユーザの所望しない動作が行われることを防ぐことができる。
【００２３】
＜請求項７の発明＞
外部メモリを接続したときに、以前、実行されたモードがダイレクトプリントモードであった場合に、記憶された印刷形式に従ってダイレクトプリントモードが実行される。従って、ユーザが印刷形式を設定する手間を省くことができる。
【００２４】
＜請求項８の発明＞
例えば電源投入時などに以前の動作が不明な場合には、モードの実行が開始されないため、ユーザが所望しない動作が開始されることを回避できる。
【００２５】
＜請求項９の発明＞
外部メモリを接続したときに、以前実行されたモードとしてダイレクトプリントモードが実行される場合に、続行または中止の指示を待機する待機状態となる。従って、ユーザがダイレクトプリントモードを実行させたくない場合には、実行を中止することができ、ユーザの所望しない動作が行われることを防ぐことができる。
【００２６】
＜請求項１０の発明＞
外部メモリを接続したときに、記憶されたモードの動作を行うか行わないかを設定することができる。これにより、例えば、画像形成装置が多人数で使用される環境では記憶されたモードを実行しない設定とし、少人数で使用される環境では記憶されたモードを実行する設定にするなど、ユーザの都合に応じて設定を変更できるため、使い勝手が良い。
【００２７】
＜請求項１１の発明＞
外部メモリを接続したときに、以前実行されたモードを実行する通常モードと、原稿の検知状態に応じた処理を実行する検知モードとの、いずれを実行させるかを切り替えることができる。
【００２８】
＜請求項１２の発明＞
記憶されたモードの実行がキャンセルされた場合には、原稿の検知状態に応じてユーザの所望する操作を予測して動作するため、使い勝手が良い。
【発明を実施するための最良の形態】
【００２９】
＜実施形態１＞
次に本発明の実施形態１について図１から図４を参照して説明する。
【００３０】
１．複合機の外観構成
図１は、本発明の画像形成装置の一例である複合機１の外観を示す斜視図であり、図２は、その原稿カバー６を上げた状態を示す斜視図である。この複合機１は、プリンタ機能、スキャナ機能、コピー機能、ファクシミリ機能などを備えた多機能周辺装置である。
【００３１】
複合機１は、図１及び図２に示すように、本体部２の上方に原稿を読み取るための読取部３（読取手段の一例）を備えている。読取部３は、透明なガラス板からなる原稿載置部４を備えている。この原稿載置部４の下側には、ＣＣＤ等のイメージセンサ（図示せず）が設けられ、これにより原稿載置部４上に載置された原稿の読み取りを行うことができる。原稿載置部４の上面は、ＡＤＦ（自動原稿供給装置）５を備えた原稿カバー６により開閉可能に覆われている。ＡＤＦ５は、複数枚の原稿を積載可能な原稿トレイ７を備えており、この原稿トレイ７に載置された原稿を一枚ずつ搬送して、その原稿を前述のイメージセンサにより読み取らせた後に排出する。また、原稿トレイ７には、セットされた原稿を検出するためのフォトセンサ等の原稿センサ８（図３参照、検知手段の一例）が設けられている。
【００３２】
また、読取部３の前側には、各種のボタンからなる操作部１１（読取設定手段、選択手段、指示手段、印刷設定手段、設定手段、切替手段の一例）と、液晶ディスプレイからなる表示部１２と、ＵＳＢメモリ２８等が接続可能なＵＳＢ接続部１３（接続手段の一例）とが設けられている。
【００３３】
２．複合機の電気的構成
図３は、複合機１の電気的構成を概略的に示すブロック図である。複合機１は、同図に示すように、ＣＰＵ２０（制御手段の一例）、ＲＯＭ２１、ＲＡＭ２２（記憶手段の一例）、ＮＶＲＡＭ（不揮発性メモリ）２３、ネットワークインターフェイス２４、ファクシミリインターフェイス２５、既述のＵＳＢ接続部１３を備え、これらに画像形成部２７（画像形成手段の一例）や、既述の読取部３、操作部１１、表示部１２などが接続されている。
【００３４】
ＲＯＭ２１には、この複合機１の動作を制御するための各種のプログラムが記憶されており、ＣＰＵ２０は、ＲＯＭ２１から読み出したプログラムに従って、その処理結果をＲＡＭ２２またはＮＶＲＡＭ２３に記憶させながら、各部の制御を行う。
【００３５】
ネットワークインターフェイス２４は、通信回線（図示せず）を介して外部のコンピュータ等に接続され、このネットワークインターフェイス２４を介して相互のデータ通信が可能となっている。ファクシミリインターフェイス２５は、電話回線（図示せず）に接続され、このファクシミリインターフェイス２５を介して外部のファクシミリ装置等とファクシミリデータの通信が可能となっている。ＵＳＢ接続部１３には、ＵＳＢメモリ２８（外部メモリの一例）等が着脱可能に接続される。画像形成部２７は、用紙などの被記録媒体上に画像データに基づく画像を形成する。
【００３６】
３．複合機１の動作
複合機１の電源が投入されると、ＣＰＵ２０は、所定の初期化処理を行った後、ユーザからの操作を待機する通常待機状態となる。この通常待機状態では、表示部１２に例えば現在日時や「ＦＡＸ」等の文字が表示される（ファクシミリモードで待機する設定の場合）。この状態でユーザが読取部３に原稿をセットし、操作部１１により送信先の電話番号を入力し、送信の開始を指示することで、ファクシミリ送信を行うことができる。また、操作部１１からの所定の操作やネットワークインターフェイスを介してのコンピュータからの指示により、プリントやスキャン等を実行することができる。さらに、ＵＳＢ接続部１３にＵＳＢメモリ２８が接続された状態では、所定の操作により、後述するスキャントゥメモリモードやダイレクトプリントモードを実行することができる。
【００３７】
（メモリ装着時処理）
ＣＰＵ２０は、通常待機状態において、ＵＳＢ接続部１３に何も接続されていない場合に、ＵＳＢ接続部１３へのＵＳＢメモリ２８等の接続を定期的に監視しており、ＵＳＢメモリ２８が装着されたことを検知した場合に以下に示すメモリ装着時処理を実行する。図４は、このメモリ装着時処理の流れを示すフローチャートである。
【００３８】
ＣＰＵ２０は、まずＲＡＭ２２に前回のＵＳＢメモリ２８に対して行われた操作についての記憶があるか否かを判断する（Ｓ１０１）。ここで、メモリ装着時処理の際のいくつかの処理については、ファンクション設定を行うことによりユーザが動作を切り替えることが可能である。このファンクション設定においては、操作記憶モードまたは操作非記憶モードのいずれかに設定可能であり、操作記憶モードに設定されている場合には、ＣＰＵ２０は、スキャントゥメモリモード若しくはダイレクトプリントモードを実行した際に、実行したモードと、そのモードを実行する際に用いられた各種の設定（それぞれ、読取設定、印刷設定という）とを接続されているＵＳＢメモリ２８に対しての履歴情報としてＲＡＭ２２に記憶する（後述する）。なお、履歴情報は、操作非記憶モードに設定されている場合の他に、電源投入後、はじめてＵＳＢメモリ２８を接続した場合等に、ＲＡＭ２２に記憶されていない場合がある。
【００３９】
ＲＡＭ２２に前回接続されたＵＳＢメモリ２８についての履歴情報が記憶されていない場合（Ｓ１０１：Ｎｏ）には、このメモリ装着時処理を終了し、通常待機状態に戻る。履歴情報がＲＡＭ２２に記憶されていた場合（Ｓ１０１：Ｙｅｓ）には、その履歴情報に基づくモード（前回接続されたＵＳＢメモリ２８に対して実行されたモード）がスキャントゥメモリモードであれば（Ｓ１０２：Ｙｅｓ）、スキャントゥメモリモードの実行を開始する（Ｓ１０３）。
【００４０】
ＣＰＵ２０は、スキャントゥメモリモードを開始すると、表示部１２に例えば「Scan to USB  Start Scan」のようにユーザに実行指示を促すメッセージを表示させ、操作部１１からの入力を待つ待機状態となる。ここで、ユーザは、操作部１１によりスキャントゥメモリモードの続行の指示、あるいはキャンセル指示を入力することができる。スキャントゥメモリモードの続行が指示された場合（Ｓ１０４：Ｎｏ）には、履歴情報として記憶される、前回のＵＳＢメモリ２８に対して実行されたスキャントゥメモリモードの読取設定を読み込む（Ｓ１０５）。ここで、読取設定とは、具体的には、例えば、原稿を読み取る際の画像の解像度（150dpi、300dpi、600dpi等）、色数（カラー・モノクロやその階調）や、ファイル保存時のファイル形式（PDF、JPEG、TIFF等）等の読取条件についての設定である。続いて、ＣＰＵ２０は、その読取設定に基づいて読取部３による原稿の読み取りを実行する（Ｓ１０６）。これにより、読取部３から取得された画像データに対して所定の画像処理が行われ、生成された画像データファイルがＵＳＢメモリ２８に保存される。
【００４１】
Ｓ１０２において、履歴情報として記憶されたモードがダイレクトプリントモードである場合（Ｓ１０２：Ｎｏ）には、ダイレクトプリントモードの実行を開始する（Ｓ１０７）。ダイレクトプリントモードを開始すると、ＣＰＵ２０は、まず表示部１２に「Direct Print  Select File」のようにユーザにファイルの選択を促すメッセージを表示させ、ユーザからの入力を待つ待機状態となる。ここで、ユーザは、操作部１１により、ＵＳＢメモリ２８に保存されたファイルの中から印刷するファイルを任意に選んで指定する選択指示を入力することができ、あるいはキャンセル指示を入力することもできる。
【００４２】
ファイルの選択が行われた場合（Ｓ１０８：Ｎｏ）には、履歴情報として記憶される、前回のＵＳＢメモリ２８に対して実行されたダイレクトプリントモードの印刷設定を読み込む（Ｓ１０９）。ここで印刷設定とは、具体的には、例えば、印刷時の用紙サイズ、両面印刷の有無、縁なし印刷の有無、用紙１枚に印刷するページ数等の印刷形式についての設定である。続いて、ＣＰＵ２０は、選択されたファイルをＵＳＢメモリ２８から読み出し、印刷設定に基づいて画像形成部２７による印刷を実行する（Ｓ１１０）。
【００４３】
Ｓ１０３のスキャントゥメモリモードの際にキャンセル指示が入力された場合（Ｓ１０４：Ｙｅｓ）、若しくはＳ１０７のダイレクトプリントモードの際にキャンセル指示が入力された場合（Ｓ１０８：Ｙｅｓ）には、ＣＰＵ２０は、それらのモードの実行を中断し、原稿センサ８により原稿トレイ７の原稿が検知されるか否かを判断する（Ｓ１１１）。原稿が検知された場合（Ｓ１１１：Ｙｅｓ）には、スキャントゥメモリモードを開始し、表示部１２に読取設定を入力させるための画面を表示させる（Ｓ１１２）。そして、ユーザにより操作部１１から読取設定が入力されると、ＣＰＵ２０は、その読取設定に基づいて読取部３による原稿の読み取りを実行する（Ｓ１０６）。
【００４４】
また、原稿センサ８により原稿が検知されない場合（Ｓ１１１：Ｎｏ）には、ダイレクトプリントモードを開始し、表示部１２にファイルの選択を入力させるための画面（既述のものと同様）を表示させる（Ｓ１１３）。そこでユーザによりファイルが選択されると、ＣＰＵ２０は、続いて表示部１２に印刷設定を入力させるための画面を表示させる（Ｓ１１４）。そして、選択されたファイルをＵＳＢメモリ２８から読み出し、それらのファイルについて印刷設定に従って画像形成部２７による印刷を実行する（Ｓ１１０）。
【００４５】
ＣＰＵ２０は、スキャントゥメモリモードの読み取り（Ｓ１０６）が完了した後、若しくはダイレクトプリントモードの印刷（Ｓ１１０）が完了した後に、それらのモードを終了する。ここで、前述のファンクション設定では、スキャントゥメモリモードまたはダイレクトプリントモードが終了した時の動作を、操作記憶モード若しくは操作非記憶モードのいずれかに設定することができる。操作記憶モードに設定されている場合（Ｓ１１５：Ｙｅｓ）には、現在ＵＳＢ接続部１３に接続されているＵＳＢメモリ２８に対して行った操作、即ち、スキャントゥメモリモードとダイレクトプリントモードとのうちいずれかのモードと、そのモードを実行したときの読取設定若しくは印刷設定とを履歴情報としてＲＡＭ２２に記憶する（Ｓ１１６）。なお、操作非記憶モードに設定されている場合（Ｓ１１５：Ｎｏ）には、履歴情報の記憶を行わない。その後、このメモリ装着時処理を終了し、前述の通常待機状態に戻る。
【００４６】
なお、図４において、ＵＳＢメモリ２８についての履歴情報が記憶されていない場合（Ｓ１０１，Ｎｏ）、通常の待機状態に戻ってから、所定の操作により、スキャントゥメモリモードが実行され、あるいは、ダイレクトプリントモードが実行されたときには、ファンクション設定で操作記憶モードが設定されているのであれば、実行時の履歴情報が保存される。従って、その後に、再び、ＵＳＢメモリ２８が装着された場合には、当該履歴情報に基づいて処理が進められることになる。
【００４７】
４．本実施形態の効果
本実施形態によれば、複合機１にＵＳＢメモリ２８を接続したときに、以前、実行されたモード（スキャントゥメモリモードまたはダイレクトプリントモード）が実行される。従って、ユーザが動作モードを指定する手間を省くことができる。
【００４８】
また、ＵＳＢメモリ２８を接続したときに、前回実行されたモードがスキャントゥメモリモードであった場合に、記憶された読取条件に従ってスキャントゥメモリモードが実行される。従って、ユーザが読取条件を設定する手間を省くことができる。
【００４９】
また、ＵＳＢメモリ２８を接続したときに、前回実行されたモードとしてスキャントゥメモリモードが実行される場合に、続行または中止の指示を待機する待機状態となる。従って、ユーザがスキャントゥメモリモードを実行させたくない場合には、実行を中止することができ、ユーザの所望しない動作が行われることを防ぐことができる。
【００５０】
また、ＵＳＢメモリ２８を接続したときに、前回実行されたモードがダイレクトプリントモードであった場合に、記憶された印刷形式に従ってダイレクトプリントモードが実行される。従って、ユーザが印刷形式を設定する手間を省くことができる。
【００５１】
また、例えば電源投入時などに以前の動作が不明な場合には、モード（スキャントゥメモリモードまたはダイレクトプリントモード）の実行が開始されないため、ユーザが所望しない動作が開始されることを回避できる。
【００５２】
また、ＵＳＢメモリ２８を接続したときに、前回実行されたモードとしてダイレクトプリントモードが実行される場合に、続行または中止の指示を待機する待機状態となる。従って、ユーザがダイレクトプリントモードを実行させたくない場合には、実行を中止することができ、ユーザの所望しない動作が行われることを防ぐことができる。
【００５３】
また、ＵＳＢメモリ２８を接続したときに、記憶されたモードの動作を行うか行わないかを設定することができる。これにより、例えば、画像形成装置が多人数で使用される環境では記憶されたモードを実行しない設定とし、少人数で使用される環境では記憶されたモードを実行する設定にするなど、ユーザの都合に応じて設定を変更できるため、使い勝手が良い。
【００５４】
また、記憶されたモードの実行がキャンセルされた場合には、原稿の検知状態に応じてユーザの所望する操作を予測して動作するため、使い勝手が良い。
【００５５】
また、スキャントゥメモリモードやダイレクトプリントモードを実行する際には、途中で、ＵＳＢメモリ２８を新しいものに交換したり、あるいはＵＳＢメモリ２８のデータを他のコンピュータ等に移したり、内容を入れ替えたりするために、ユーザが複合機１を離れることがある。その間に複合機１を他の人が使用したとしても、ユーザが再びＵＳＢメモリ２８を接続したときに、前回の履歴情報が読み出されるため、前回と同様の処理を速やかに行うことができる。
【００５６】
＜実施形態２＞
次に本発明の実施形態２について図５から図７を参照して説明する。
【００５７】
（ファンクション設定処理）
まずメモリ装着時処理に関する各種の動作を設定するためのファンクション設定処理について説明する。図５は、このファンクション設定処理の流れを示すフローチャートである。ファンクション設定処理は、通常待機状態において、操作部１１により所定の操作を行うことで開始される。
【００５８】
ＣＰＵ２０は、ファンクション設定処理を開始すると、表示部１２にＵＳＢメモリ２８に対して行われる操作を記憶するか否かをユーザに入力させるための画面を表示する（Ｓ２０１）。ここで、操作部１１から操作を記憶しない旨の指示が入力された場合（Ｓ２０１：Ｎｏ）には、操作非記憶モードに設定し（Ｓ２０２、ここで設定とは、詳細にはＮＶＲＡＭ２３に設定値を記憶することをいう。以下も同様）、このファンクション設定処理を終了する。また、操作を記憶する旨の指示が入力された場合（Ｓ２０１：Ｙｅｓ）には、操作記憶モードに設定する（Ｓ２０３）。
【００５９】
操作記憶モードに設定した場合には、続いて、原稿の検知状態に応じたモードを実行する検知モードか、あるいは履歴情報として記憶されたモードを実行する通常モードをユーザに選択させるための画面を表示部１２に表示する（Ｓ２０４）。ここで検知モードが選択された場合（Ｓ２０４：Ｙｅｓ）には検知モードに設定し（Ｓ２０５）、通常モードが選択された場合（Ｓ２０４：Ｎｏ）には通常モードに設定する（Ｓ２０６）。
【００６０】
続いて、スキャントゥメモリモードにおいて、１．前回の読取設定を読み込むモードか、あるいは２．ＵＳＢメモリ２８内に含まれるファイルのファイル形式で読み込むモードかをユーザに選択させる画面を表示部１２に表示する（Ｓ２０７）。ここで、１のモードが選択された場合（Ｓ２０７：１）にはそのモードを設定した後（Ｓ２０８）、ファンクション設定を終了する。また、２のモードが選択された場合（Ｓ２０７：２）にはそのモードを設定した後（Ｓ２０９）、さらにＵＳＢメモリ２８内に複数種類のファイル形式が存在した場合の動作を選択させる画面を表示部１２に表示する（Ｓ２１０）。ここでは、Ａ．更新日が最新のファイル形式を選択するか、あるいはＢ．ファイル数が最多のものを選択するかを選択することができる。ユーザによりＡモードまたはＢモードが選択されると、選択されたモードを設定し（Ｓ２１１，Ｓ２１２）、このファンクション設定処理を終了する。
【００６１】
なお、ＵＳＢメモリ２８に存在するファイル形式としては、スキャントゥメモリモードで保存可能なファイル形式（例えばPDF,JPEG,TIFF）、あるいは、ダイレクトプリントモードで印刷可能なファイル形式（例えばPDF,JPEG,TIFF,PRN）に限らず、その他のファイル形式（例えばTXT,DOC,XLS,PPTなど）もあり得るが、スキャントゥメモリモードにおいて選択の判断基準（更新日時あるいはファイル数）の対象となるファイル形式が、スキャントゥメモリモードで保存可能なファイル形式（例えばPDF,JPEG,TIFF）のものに限られることは勿論である。
【００６２】
（メモリ装着時処理）
次に本実施形態のメモリ装着時処理について説明する。図６は、メモリ装着時処理の流れを示すフローチャートであり、図７はスキャントゥメモリモードの流れを示すフローチャートである。
【００６３】
ＣＰＵ２０は、通常待機状態において、ＵＳＢ接続部１３にＵＳＢメモリ２８が接続されたのを検知すると、図６に示すメモリ装着時処理を開始する。ＣＰＵ２０は、まずＲＡＭ２２に前回のＵＳＢメモリ２８に対して行われた操作についての記憶があるか否かを判断する（Ｓ３０１）。そして、ＲＡＭ２２に前回接続されたＵＳＢメモリ２８の履歴情報が記憶されていない場合（Ｓ３０１：Ｎｏ）には、このメモリ装着時処理を終了し、通常待機状態に戻る。
【００６４】
履歴情報がＲＡＭ２２に記憶されていた場合（Ｓ３０１：Ｙｅｓ）には、前述のファンクション設定処理において、検知モード及び通常モードのいずれに設定されているかを判断する（Ｓ３０２）。そして、通常モードに設定されている場合（Ｓ３０２：Ｎｏ）には、履歴情報を参照し、前回接続されたＵＳＢメモリ２８に対して実行されたモードがダイレクトプリントモードであれば（Ｓ３０３：Ｎｏ）、ダイレクトプリントモードを実行し（Ｓ３０４）、実行されたモードがスキャントゥメモリモードであれば（Ｓ３０３：Ｙｅｓ）スキャントゥメモリモードを実行する（Ｓ３０５）。
【００６５】
また、Ｓ３０２において、検知モードに設定されている場合（Ｓ３０２：Ｙｅｓ）には、原稿センサ８により原稿トレイ７の原稿が検知されるか否かを判断し（Ｓ３０６）、原稿が検知されない場合（Ｓ３０６：Ｎｏ）には、ダイレクトプリントモードを実行し（Ｓ３０７）、原稿が検知された場合（Ｓ３０６：Ｙｅｓ）には、スキャントゥメモリモードを実行する（Ｓ３０８）。
【００６６】
Ｓ３０４またはＳ３０７のダイレクトプリントモードを実行する場合には、ＣＰＵ２０は、前述のものと同様に、ユーザによるファイル選択の後に、履歴情報として記憶された前回のＵＳＢメモリ２８に対する印刷設定を読み込み、印刷を実行する。
【００６７】
また、Ｓ３０５またはＳ３０８のスキャントゥメモリモードを実行する場合には、ＣＰＵ２０は、図７に示す処理を行う。ＣＰＵ２０は、まずＲＡＭ２２に前回接続されたＵＳＢメモリ２８についてのメモリフル情報が記憶されているかを判断する（Ｓ４０１）。ここで、メモリフル情報とは、スキャントゥメモリモードにおける読み取りの途中においてＵＳＢメモリ２８の容量が不足状態となった場合に、履歴情報としてＲＡＭ２２に記憶されるものであり、メモリフル情報が記憶された場合には実行中のスキャントゥメモリモードは中断される。
【００６８】
メモリフル情報が記憶されていない場合（Ｓ４０１：Ｎｏ）には、ファンクション設定処理において、前回の読取設定を読み込む設定がされているか否かを判断する（Ｓ４０２）。前回の読取設定を読み込む設定である場合（Ｓ４０２：Ｙｅｓ）には、ＲＡＭ２２から前回の読取設定を読み込み（Ｓ４０３）、その読取設定に基づいて読み取りを実行する（Ｓ４０４）。
【００６９】
また、ＵＳＢメモリ２８に記憶されたファイル形式で読み込む設定がなされていた場合（Ｓ４０２：Ｎｏ）には、ＣＰＵ２０は、ＵＳＢメモリ２８に保存されているデータのうち、スキャントゥメモリモードで保存可能な画像データファイルのファイル形式（例えばPDF、JPEG、TIFF等）を調べ、それらが複数種類あるかを判断する（Ｓ４０５）。ファイル形式が１種類であった場合（Ｓ４０５：Ｎｏ）には、そのファイル形式をファイル保存時のファイル形式として選択する（Ｓ４０６）。また、ファイル形式が複数種類ある場合（Ｓ４０５：Ｙｅｓ）には、前述のファンクション設定処理においてＡモードに設定されている場合（Ｓ４０７：Ｙｅｓ）には、ＵＳＢメモリ２８に保存されているファイルのうち更新日時が最新のもののファイル形式をファイル保存時のファイル形式として選択する。また、ファンクション設定処理においてＢモードに設定されている場合（Ｓ４０７：Ｎｏ）には、ＵＳＢメモリ２８に保存されているファイルのうち最も数が多い種類のファイル形式をファイル保存時のファイル形式として選択する（Ｓ４０９）。なお、これらのファイル形式の選択の際に候補が複数ある場合は、それらのうちから一つをユーザに選択させるようにしても良い。
【００７０】
ファイル保存時のファイル形式を選択した後、ＣＰＵ２０は、読取設定のうちのファイル形式以外の読取条件（解像度等）を設定するための画面を表示部１２に表示し（Ｓ４１０）、ユーザに入力を促す。なお、ここでは、ＲＡＭ２２に記憶された読取設定を読み込むようにしても良い。その後、ＣＰＵ２０は、読取設定に従って読み取りを実行する（Ｓ４０４）。
【００７１】
また、ＣＰＵ２０は、Ｓ４０１にて、前回接続されたＵＳＢメモリ２８についてメモリフル情報が記憶されていた場合（Ｓ４０１：Ｙｅｓ）には、Ｓ４０３に進んで履歴情報として記憶された読取設定を読み込み、その後、読み取りを実行する（Ｓ４０４）。即ち、この場合は、ファンクション設定処理における設定（Ｓ２０７）にかかわらず、必ず前回のＵＳＢメモリ２８と同じ読取設定に基づいて読み取りを実行する。読み取りを実行した後、このスキャントゥメモリモードを終了する。
【００７２】
ＣＰＵ２０は、Ｓ３０４またはＳ３０７のダイレクトプリントモード、若しくはＳ３０５またはＳ３０８のスキャントゥメモリモードを終了した後、ファンクション設定において、操作記憶モードに設定されているか否かを判断する（Ｓ３０９）。そして、操作記憶モードに設定されている場合（Ｓ３０９：Ｙｅｓ）には、実行したモード及び読取設定若しくは印刷設定を履歴情報としてＲＡＭ２２に記憶し、操作非記憶モードに設定されている場合（Ｓ３０９：Ｎｏ）にはそれらを記憶せずに、このメモリ装着時処理を終了する。
【００７３】
（本実施形態の効果）
以上のように本実施形態によれば、ＵＳＢメモリ２８が接続されたときに、前回接続されたＵＳＢメモリ２８に対してメモリフル情報が記憶されていた場合には、ファンクション設定処理における設定にかかわらず、前回の読取条件でスキャントゥメモリモードを実行する。スキャントゥメモリモードの途中でＵＳＢメモリ２８が一杯になった場合には、続いて接続されたＵＳＢメモリ２８に対しても、同じ読取条件でスキャントゥメモリモードが実行される可能性が高いため、適切な処理を行うことができる。
【００７４】
また、ＵＳＢメモリ２８を接続したときに、画像データがＵＳＢメモリ２８に保存されているファイルに合わせたファイル形式で保存される。このため、画像データを保存する際のファイル形式を設定する手間を省くことができる。
【００７５】
また、画像データをＵＳＢメモリ２８に保存する際に、ＲＡＭ２２に記憶されたファイル形式で保存するか、あるいはＵＳＢメモリ２８に既に保存されているファイルのファイル形式で保存するかを選択できるため、使い勝手がよい。
【００７６】
また、ＵＳＢメモリ２８を接続したときに、以前実行されたモードを実行する通常モードと、原稿の検知状態に応じた処理を実行する検知モードとの、いずれを実行させるかを切り替えることができる。
【００７７】
＜他の実施形態＞
本発明は上記記述及び図面によって説明した実施形態に限定されるものではなく、例えば次のような実施形態も本発明の技術的範囲に含まれる。
（１）上記実施形態では、外部メモリとしてＵＳＢメモリを用いたものを示したが、これに限らず、外部メモリは、例えばメモリカードなどの他の記憶媒体を用いても良く、また、複数種類の記憶媒体を使用できるようにしても良い。
【００７８】
（２）上記実施形態では、外部メモリが接続されたときに、前回接続された外部メモリについての履歴情報を利用するものを示したが、本発明によれば、以前に接続された複数回分の外部メモリについての履歴情報を参照して、例えば、実行された回数の多いモードを実行するようにしても良い。
【００７９】
（３）外部メモリにユーザの識別番号（ＩＤ）やその個体の識別番号等が記録されている場合、その識別番号毎にファンクション設定を記憶するようにしても良く、また識別番号毎の履歴情報を記憶して、外部メモリが接続されたときに、一致する識別番号の履歴情報を呼び出して利用するようにしても良い。また、複数種類の外部メモリを使用できるものでは、外部メモリの種類毎に上記と同様の動作を行うようにしても良い。
【００８０】
（４）上記実施形態では、履歴情報をＲＡＭに記憶するものを示したが、本発明によれば、履歴情報をＮＶＲＡＭ等の不揮発性メモリに記憶するようにしても良い。
【図面の簡単な説明】
【００８１】
【図１】本発明の実施形態１における複合機の外観を示す斜視図
【図２】複合機の原稿カバーを上げた状態を示す斜視図
【図３】複合機の電気的構成を概略的に示すブロック図
【図４】メモリ装着時処理の流れを示すフローチャート
【図５】ファンクション設定処理の流れを示すフローチャート
【図６】実施形態２におけるメモリ装着時処理の流れを示すフローチャート
【図７】スキャントゥメモリモードの流れを示すフローチャート
【符号の説明】
【００８２】
１…複合機（画像形成装置）
３…読取部（読取手段）
８…原稿センサ（検知手段）
１１…操作部（読取設定手段、選択手段、指示手段、印刷設定手段、設定手段、切替手段）
１３…ＵＳＢ接続部（接続手段）
２０…ＣＰＵ（制御手段）
２２…ＲＡＭ（記憶手段）
２７…画像形成部（画像形成手段）
２８…ＵＳＢメモリ（外部メモリ）
【図１】
2008187495.tif 000003
【図２】
2008187495.tif 000004
【図３】
2008187495.tif 000005
【図４】
2008187495.tif 000006
【図５】
2008187495.tif 000007
【図６】
2008187495.tif 000008
【図７】
2008187495.tif 000009